(57)【要約】  【課題】冷蔵室温度センサーと風量調整シャッターで庫内温度調整する冷蔵庫において、シャッター調整時から庫内温度安定時までの時間短縮と、冷却器の霜取時の暖湿気による庫内温度上昇および温度変動を抑制させることを目的とする。  【解決手段】冷蔵室２内の温度変化を検知し、圧縮機３の運転制御を行う冷蔵室温度センサー１と、外気温度を検知し、圧縮機３の運転制御の動作温度を補正する外気温度センサー１７とを備え、手動式スライドシャッター１８の風量調整装置を冷凍室１０と冷蔵室２を区画形成する仕切板１９内に内蔵し、送風機４と冷凍室吐出口１１との間に設置することで、風路による流路損失を低減し、さらに風路を通じて霜取後の各庫内への暖湿気の流入を抑制できる。【選択図】図１
2009085545.tif 000002
【特許請求の範囲】
【請求項１】
冷凍室と、冷蔵室と、蒸発器と、前記蒸発器により冷却された冷気を前記各室へ送風する送風機と、前記冷蔵室内の温度変化を検知し、前記圧縮機の運転制御を行う冷蔵室温度センサーと、外気温度を検知し、前記圧縮機の運転制御の動作温度を補正する外気温度センサーと、前記送風機の風量を調整する風量調整装置とを備えた冷蔵庫。
【請求項２】
前記風量調整装置を前記冷凍室と前記冷蔵室を区画形成する仕切板内に内蔵した請求項１に記載の冷蔵庫。
【請求項３】
前記風量調整装置を前記送風機と前記冷凍室吐出口との間に設置した請求項１または２に記載の冷蔵庫。
【請求項４】
前記風量調整装置は、手動式スライドシャッターとした請求項１から３のいずれか一項に記載の冷蔵庫。
【請求項５】
前記手動式スライドシャッターは、前後方向に開閉するように構成した請求項４に記載の冷蔵庫。
【請求項６】
下部に冷凍室、上部に冷蔵室を形成したことを特徴とする請求項１から５のいずれか一項に記載の冷蔵庫。
【発明の詳細な説明】
【技術分野】
【０００１】
本発明は冷蔵室用温度センサーで圧縮機および送風機の運転を制御する冷蔵庫に関するものである。
【背景技術】
【０００２】
近年、冷蔵庫を使用する環境・用途は多様化しており、また求められる品質も厳しいものとなってきている。その一方で安価な冷蔵庫が求められており、冷凍室用の温度センサーあるいは冷蔵室用のダンパーサーモスタットを用いず、冷蔵室用温度センサーのみで圧縮機および送風機の運転を制御するものがある（例えば、特許文献１参照）。
【０００３】
以下、図面を参照しながら、上記従来の冷蔵庫について説明する。
【０００４】
図４は、特許文献１に記載された従来の冷蔵庫の扉を除去した状態の正面図であり、図５は同冷蔵庫の要部側面図である。
【０００５】
図４、図５において、１は冷蔵室温度センサーであり、冷蔵室２の温度変化を検知し、圧縮機３及び送風機４の運転制御をおこなう。５は冷蔵室２への冷気を供給するための冷蔵室吐出ダクト、６は冷蔵室吐出口で、７は冷蔵室２を循環した冷気を蒸発器８へ戻すための冷蔵室戻りダクトで、その入口部に開口面積を増減させるためのシャッター９が設けられている。
【０００６】
上記構成において、冷蔵室温度センサー１の温度が設定温度よりも高くなれば圧縮機３及び送風機４の運転が開始され、蒸発器８で冷却された冷気が冷蔵室吐出ダクト５を通り冷蔵室吐出口６から冷蔵室２へ送られ、冷蔵室２内を循環したあと冷蔵室戻りダクト７から蒸発器８へ戻る。そして、冷蔵室温度センサー１が設定温度以下になれば圧縮機３及び送風機４の運転が停止される。一方、冷凍室１０は圧縮機３及び送風機４の運転中、冷凍室吐出口１１から冷気が送られ、冷凍室１０内を冷却したあと、冷凍室吸込口１２から蒸発器８へと冷気が循環することで所望温度を保つようにしている。すなわち、冷凍室１０の温度変化は圧縮機３及び送風機４の運転時間の長さによって変化するように設定してある。そこで、冷凍室１０の温度をより低くしたいときは、冷蔵室戻りダクト７の入口部の開口面積が小さくなるようにシャッター９を移動させ、冷蔵室２内の冷気循環量を少なくする。その結果、圧縮機３及び送風機４の運転時間が長くなり、冷凍室１０への冷気供給量が増加することで、冷凍室１０の温度がより低くなる。
【０００７】
以上のように、冷蔵室温度センサー１で圧縮機３及び送風機４の運転制御を行うとともに、冷蔵室戻りダクト７の入口部の開口面積をシャッター９で増減させることで冷凍室１０の温度切替をおこなっている。
【特許文献１】特開平１０−１７０１２７号公報
【発明の開示】
【発明が解決しようとする課題】
【０００８】
しかしながら、上記従来の冷蔵庫では、冷凍室を所望温度に設定するために、冷蔵室戻りダクト７の入口部のシャッター９で開口面積を増減させるため、冷蔵室戻りダクト５および冷蔵室２によって形成される風路による流路損失が大きく、また霜取後の暖湿気を含んだ冷気が冷凍室吐出口１１から冷凍室内１０へ流入することにより、庫内温度上昇および温度変動が大きくなるという課題を有していた。
【０００９】
本発明は、上記従来の課題を解決するもので、流路損失を低減し、冷気循環効率を向上することでシャッター調整時から庫内温度安定時までのタイムラグを短縮し、また冷却器の霜取時の暖湿気による庫内温度上昇および温度変動を抑制することで、圧縮機の運転率低減による冷却性能を向上させた冷蔵庫を提供することを目的とする。
【課題を解決するための手段】
【００１０】
上記従来の課題を解決するために、本発明の冷蔵庫は、冷蔵室内の温度変化を検知し、圧縮機の運転制御を行う冷蔵室温度センサーと、外気温度を検知し、前記圧縮機の運転制御の動作温度を補正する外気温度センサーと、送風機の風量を調整する風量調整装置とを備えたことにより、冷蔵室温度センサーで圧縮機の運転制御を行う冷蔵庫において、外気温度の変動に対して簡素な構造で適切な風量調節が可能となる。
【発明の効果】
【００１１】
本発明の冷蔵庫によれば、シンプルな風路構成で迅速に庫内温度の安定化が図れ、安定した冷却性能を得ることができる。
【発明を実施するための最良の形態】
【００１２】
請求項１に記載の発明は、冷凍室と、冷蔵室と、蒸発器と、前記蒸発器により冷却された冷気を前記各室へ送風する送風機と、前記冷蔵室内の温度変化を検知し、前記圧縮機の運転制御を行う冷蔵室温度センサーと、外気温度を検知し、前記圧縮機の運転制御の動作温度を補正する外気温度センサーと、前記送風機の風量を調整する風量調整装置とを備えたことにより、特別な制御部品を使わずに、送風機からの風量調整により前記各室の温度調整が可能となる。
【００１３】
請求項２に記載の発明は、請求項１に記載の発明において、風量調整装置を冷凍室と冷蔵室を区画形成する仕切板内に内蔵したことにより、複雑な風路構成や風量調整装置の保持部分をあらたに設ける必要はなく、各室の有効容積を確保することができる。
【００１４】
請求項３に記載の発明は、請求項１または２に記載の発明において、風量調整装置を送風機と冷凍室吐出口との間に設置したことにより、風路形成の上で最も流路損失を少なくして、風量調整時から庫内温度安定時までの時間短縮が図れる。また、霜取後の暖湿気の庫内への流入を抑制する機能も兼ね備え、特に冷凍室内の温度上昇や温度変動を抑制し、双方から省エネ効果を可能にする。
【００１５】
請求項４に記載の発明は、請求項１から３のいずれか一項に記載の発明において、風量調整装置は、手動式スライドシャターとしたことにより、複雑な機械式に比べて部品の低コスト化および組立性の向上が図れる。
【００１６】
請求項５に記載の発明は、請求項４に記載の発明において、手動式スライドシャッターは、前後方向に開閉するように構成したことにより、操作レバーを扉近傍に配置することができ操作性が向上する。
【００１７】
請求項６に記載の発明は、請求項１から５のいずれか一項に記載の発明において、下部に冷凍室、上部に冷蔵室を形成したことにより、冷凍室への冷気供給がボトム方向へスムーズに流下し、温度切り替えを迅速に行うことができる。
【００１８】
以下、本発明の実施の形態について、図面を参照しながら説明する。なお、この実施の形態によってこの発明が限定されるものではない。また、従来と同一構成については同一符号を付して詳細な説明は省略する。
【００１９】
（実施の形態１）
図１は本発明の実施の形態１における冷蔵庫の縦断面図、図２は同実施の形態における冷蔵庫の背面図、図３は同実施の形態における冷蔵庫の要部の正面図である。
【００２０】
図１、図２において、１３は冷蔵庫本体を示すものであり、上段の冷蔵室２と下段の冷凍室１０とより構成されている。冷凍室１０の背面部には蒸発器８を設置し、その上方には送風機４と、風量調整用の手動式スライドシャッター１８を配置している。
【００２１】
そして、手動式スライドシャッター１８は、冷凍室１０と冷蔵室２を区画形成する仕切板１９の冷凍室１０側奥部の天面部に設置され、手動式スライドシャッター１８のシャッターは冷蔵庫奥行の前後方向に移動して冷凍室吐出口１１の開口面積を調整するように設けている。そして、手動式スライドシャッター１８と冷凍室吐出口１１とよりなる風量調整装置は、送風機４からの冷気が冷凍室吐出口１１と冷蔵室２の冷蔵室吐出ダクト５に分岐される分岐部近傍に配置され、冷凍室１０の冷凍室吐出口１１と冷蔵室２の冷蔵室吐出ダクト５に適正風量を分流するよう構成してある。
【００２２】
また、蒸発器８の下辺高さ１４よりも下方に冷凍室１０の冷凍室吸込口１２が配置してある。
【００２３】
また、冷蔵室２の背面部には冷蔵室温度センサー１が設置してあり圧縮機３と送風機４を動作制御している。
【００２４】
冷蔵庫本体１３の背面部の機械室１５内には、圧縮機３や送風機４の運転制御をする制御基板１６を設置しており、制御基板１６には外気温度を検知するための外気温度センサー１７を直接固定している。
【００２５】
以上のように構成された冷蔵庫について、以下その動作、作用を説明する。
【００２６】
冷蔵室温度センサー１の温度が設定温度よりも高くなれば圧縮機３及び送風機４の運転が開始され、蒸発器８で冷却された冷気が冷蔵室吐出ダクト５を通り冷蔵室２へ送られ、冷蔵室２内を循環したあと蒸発器８へ戻る。そして、冷蔵室温度センサー１が設定温度以下になれば圧縮機３及び送風機４の運転が停止される。
【００２７】
一方、冷凍室１０は圧縮機３及び送風機４の運転中、風量調整用の手動式スライドシャッター１８を通じて、適正風量の冷気が冷凍室吐出口１１から送られ、冷凍室１０内を冷却したあと、冷凍室吸込口１２から蒸発器８へと冷気が循環することで所望温度が保たれる。
【００２８】
例えば、冷凍室１０の温度をより低くしたい時は、手動式シャッター１８を図３における“強”方向に移動させ、冷凍室内の冷気循環量を多くすることで冷凍室１０を所望温度に設定することができる。逆に、冷凍室１０の温度をより高くしたい時は、手動式シャッター１８を図３における“弱”方向に移動させ、冷凍室内の冷気循環量を少なくすることで冷凍室１０を所望温度に設定することができる。
【００２９】
また、手動式シャッター１８を図３における“弱”方向に移動させることで、霜取り時の暖湿気の庫内への流入を抑制し、冷凍室１０内の温度上昇や温度変動を抑え、均温化させることができる。
【００３０】
また、冷蔵室温度センサー１の動作温度には複数のテーブルが設けられ、制御基板１６上に積載した外気温度センサー１７によって検知した外気温度に応じて最適なテーブルが選択される。これによって、低外気になるにつれて冷蔵室温度センサー１による圧縮機３の動作温度を引き下げるとともに、圧縮機３及び送風機４の運転時間を制御して、冷蔵室２及び冷凍室１０へ適切な冷気供給量を分配する。
【００３１】
以上のように本実施の形態においては、冷蔵室２と冷凍室１０を有し、圧縮機３と蒸発器８と送風機４とで冷蔵室２と冷凍室１０を冷却する冷蔵庫において、冷蔵室内の冷蔵室温度センサー１で圧縮機３の運転制御をするとともに、冷蔵庫の周囲温度を検知する外気温度センサー１７により圧縮機３の運転制御の動作温度を補正するものであり、特別な制御部品やダンパサーモを用いず、送風機と冷凍室吐出口との間に風量調整用手動式スライドシャッターを設置する事で、冷気循環効率の向上と霜取時の暖湿気の冷凍室内への流入抑制が図れる。
【００３２】
また、手動式スライドシャッター１８は、冷凍室１０と冷蔵室２を区画形成する仕切板１９内に内蔵されているので、複雑な風路構成や風量調整装置の保持部分をあらたに設ける必要はなく、各室の有効容積を確保することができる。
【００３３】
また、手動式スライドシャッター１８と冷凍室吐出口１１とよりなる風量調整装置は、送風機４からの冷気が冷凍室吐出口１１と冷蔵室２の冷蔵室吐出ダクト５に分岐される分岐部近傍に配置され、冷凍室１０の冷凍室吐出口１１と冷蔵室２の冷蔵室吐出ダクト５に適正風量を分流するよう構成しているので、風路形成の上で最も流路損失を少なくして、風量調整時から庫内温度安定時までの時間短縮が図れる。また、霜取後の暖湿気の庫内への流入を抑制する機能も兼ね備え、特に冷凍室内の温度上昇や温度変動を抑制し、双方から省エネ効果を可能にする。
【００３４】
また、風量調整装置は手動式スライドシャッター１８と冷凍室吐出口１１とよりなり、冷蔵庫奥行の前後方向に移動して冷凍室吐出口１１の開口面積を調整するように設けているので、複雑な機械式に比べて部品の低コスト化および組立性の向上が図れ、また、スライドシャッターの操作レバーを扉近傍に配置することができ操作性を向上することができ、使い勝手が向上する。
【産業上の利用可能性】
【００３５】
以上のように、本発明にかかる冷蔵庫は、冷蔵室用温度センサーで圧縮機および送風機の運転を制御する冷蔵庫に関し、高価な制御部品を搭載しなくても冷気循環の際の流路損失を抑制し、圧縮機の運転率の低減によって省エネ化をはかることができるもので、冷凍冷蔵機器全般の用途にも適用できる。
【図面の簡単な説明】
【００３６】
【図１】本発明の実施の形態１における冷蔵庫の縦断面図
【図２】同実施の形態における冷蔵庫の背面図
【図３】同実施の形態における冷蔵庫の要部正面図
【図４】従来の冷蔵庫の扉を除去した状態の正面図
【図５】従来の冷蔵庫の要部側面図
【符号の説明】
【００３７】
１    冷蔵室温度センサー
２    冷蔵室
３    圧縮機
４    送風機
８    蒸発器
１０  冷凍室
１１  冷凍室吐出口
１３  冷蔵庫本体
１７  外気温度センサー
１８  手動式スライドシャッター
１９  仕切板
【図１】
2009085545.tif 000003
【図２】
2009085545.tif 000004
【図３】
2009085545.tif 000005
【図４】
2009085545.tif 000006
【図５】
2009085545.tif 000007